(57)【要約】      （修正有）【課題】手摺り４０の不意の揺動をなくす介護ポール用手摺り構造を提供する。【解決手段】上下方向の介護用ポール１にその横方向に延びる手摺り４０を取付け、その手摺りを介護用ポールに対してその長さ方向に回動可能とし、その回動してポールに沿わせた手摺りを着脱自在に支持するキャッチャー７０をポールに設けた。手摺りは、横向きＵ字状をしており、上側の杆４１ａの他端が回転部５０に連結され、下側の杆４１ｂの他端がポールに固定のキャッチャー６１に下方から着脱自在に嵌って支持される。回転部は樹脂性軸受からなって、その軸受は、樹脂の摺動抵抗でもって手摺りを回転・固定可能に支持する。樹脂性軸受は、ボルト・ナットで所要のトルクで締め付けられても、滑性によって回転し得る。このため、手摺りは所要のトルクでポールに取付られて取付強度を維持するとともに、上下方向の揺動においても、ある程度の抵抗をもって回転することとなる。このため、手摺りが不意に回転することもなく、安全である。【選択図】図１
0003221490.tif 000002
【実用新案登録請求の範囲】
【請求項１】
上下方向の介護用ポール（１）にその横方向に延びる手摺り（４０）を取付け、その手摺り（４０）を前記介護用ポール（１）に対してポール（１）の長さ方向に回動可能とし、その回動してポール（１）に沿わせた手摺り（４０）を着脱自在に支持するキャッチャー（７０）を前記ポール（１）に設けた介護ポール用手摺り構造であって、
上記手摺り（４０）はポール（１）に固定の回転部（５０）によって上記回動可能となっており、その回転部（５０）は樹脂製の軸受（５３）からなって、その軸受（５３）は、前記樹脂の摺動抵抗でもって手摺り（４０）を回転・固定可能に支持することを特徴とする介護ポール用手摺り構造。
【請求項２】
上記手摺り（４０）は、上下２本の杆（４１ａ、４１ｂ）と、その両杆（４１ａ、４１ｂ）のそれぞれの一端から連続したＵ字状杆（４１ｃ）からなり、前記上の杆（４１ａ）の他端が上記回転部（５０）に連結され、前記下の杆（４１ｂ）の他端がポール（１）に固定のキャッチャー（６１）に下方から着脱自在に嵌って支持されるようになっていることを特徴とする請求項１に記載の介護ポール用手摺り構造。
【請求項３】
上記手摺り（４０）の回転部（５０）には、その手摺り（４０）端部と上記ポール（１）に固定の支持部（５１）との間にその隙間を埋める指詰め防止用部材（８０）を介在したことを特徴とする請求項１又２に記載の介護ポール用手摺り構造。
【考案の詳細な説明】
【技術分野】
【０００１】
この考案は、一般家庭や介護施設等において、身障者、高齢者等の要介護者が歩行時等に掴まって安定した姿勢を確保するために用いる縦型介護用ポール装置等に取り付ける手摺り構造に関するものである。
【背景技術】
【０００２】
従来、足の弱った人が椅子、ベッドや便器等から立ち上がるのを補助する介護装置として、天井面と床面の間に立設する縦型ポールが知られている。
その縦型ポールは、例えば、上下方向のポールと、そのポールの上端に取付けられる天井側アタッチメントと、ポールの下端に取付けられる床側アタッチメントとを備えたものであり、その天井側アタッチメントとポール上端との間に弾性支持機構を設け、床側アタッチメントとポール下端との間に突張力調整機構を設けている（特許文献１、２、図１等参照）。
【０００３】
この縦型介護用ポール装置には、歩行時等の補助のため、手摺りが適宜に取り付けられる（特許文献１図１、図１１等参照）。
その手摺りは、ポールに対し上下方向に揺動可能（起伏可能）とされ、その揺動基部は蝶番構造となっている。
【先行技術文献】
【特許文献】
【０００４】
【特許文献１】実用新案登録第３２１５２２７号公報
【特許文献２】実用新案登録第３２１８１７９号公報
【考案の概要】
【考案が解決しようとする課題】
【０００５】
しかし、ポールへの手摺りの取付けは、通常、対の半割状リングでポールを挟み、その両半割状リングをボルトで締結し、一方の半割状リングに手摺り端部を円盤状取付板を介して行っている（特許文献１、段落００３１〜００３２、図１、図１１参照）。
この手摺りは、起立した状態において、不用意に下方に揺動（回動）すると、危険であるが、従来においては、その防止が確実になされていない。
【０００６】
この考案は、以上の実情の下、手摺りが容易に揺動しないようにすることを課題とする。
【課題を解決するための手段】
【０００７】
上記課題を達成するために、この考案は、上記手摺りのポールへの起立自在な取付部が、前記ポールに固定の支持部と、その支持部に連結された手摺りに固定の回転部とから成り、その回転部は、前記支持部に樹脂性軸受（樹脂製軸受の意であって、樹脂からなる軸受である。以下同様）でもって回転・固定可能に支持されている構成としたのである。
樹脂性軸受は、ボルト・ナットで所要のトルクで締め付けられても、滑性によって回転し得る。このため、手摺りは所要のトルクでポールに取付られて取付強度を維持するとともに、上下方向の揺動においても、ある程度の抵抗をもって回転することとなる。このため、不意に回転することもなく、安全である。
【０００８】
具体的には、上下方向の介護用ポールにその横方向に延びる手摺りを取付け、その手摺りを起伏自在とし、その起立してポールに沿わせた手摺りを着脱自在に支持するキャッチャーをポールに設けた介護ポール用手摺り構造において、手摺りのポールへの起立自在な取付部が、ポールに固定の支持部と、その支持部に連結された手摺りに固定の回転部とから成り、その回転部は、支持部に樹脂性軸受でもって回転・固定可能に支持されている構成を採用したのである。
【０００９】
この構成における手摺りには、特許文献１図９に示す手摺り（符号：４０）や同図１１に示す肘掛け（符号：５０）等のポールに備えられて手を掛けて体勢維持を補助する部品の全てを含む。例えば、手摺りは、上下２本の杆と、その両杆のそれぞれの一端から連続したＵ字状杆からなり、上側の杆（上の杆）の他端が上記起立自在な取付部となり、下側の杆（下の杆）の他端が上記ポールに固定のキャッチャーに着脱自在となっている構成のものとし得る。
また、上記手摺りの回転部には、その手摺り端部と上記ポールに固定の支持部との間にその隙間を埋める指詰め防止用部材を介在して、手摺りの回転時に前記隙間での指詰めを防止することが好ましい。
【００１０】
この考案は、以上のように構成して、手摺りの不意の揺動をなくしたので、手摺りの安全な取付構造となる。
【図面の簡単な説明】
【００１１】
【図１】この考案に係る介護用ポール装置の一実施形態の概略正面図
【図２】同実施形態のテーブルを示し、（ａ）は一例の切断正面図、（ｂ）は同下面図、（ｃ）は他例の下面図
【図３】両実施形態の手摺り回転部の斜視図
【図４】同回転部の分解斜視図
【図５】同実施形態の手摺りの着脱部の分解斜視図
【図６】同実施形態のキャッチャー部の斜視図
【図７】同他の実施形態の手摺り回転部の斜視図
【図８】同他の実施形態の概略正面図
【考案を実施するための形態】
【００１２】
この考案に係る縦型介護用ポール装置の実施形態を図１〜図６に示し、この縦型介護用ポール装置Ａは、従来と同様に、床面Ｆと天井面Ｃの間に垂直（上下）に介設する。
その上下方向のポール１の下端に床面Ｆに固定する床固定具２０、上端に天井面Ｃに固定する天井固定具３０がそれぞれ設けられている。
【００１３】
ポール１は、鋼管パイプ等の中空管からなって上下の部材１ａ、１ｂに分かれている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される。
【００１４】
その接続締結金具１０は、特許文献１段落００１６〜同００１７、同図３に示す、対の円筒状半割リング１１からなり、同様に、半割リング１１に他方（下側）のポール部材１ｂを嵌め、その段差にポール部材１ｂの上端を係止し、対向する対のフランジをボルト止めすることによってポール部材１ａ、１ｂを接続締結する（詳細は、前記特許文献１段落００１６〜同００１７、図３参照）。
ポール１の長さ（下記両台座２１、３１の間隔）は、床面Ｆと天井面Ｃとの間隔より少し短い程度になるように、両ポール部材１ａ、１ｂをその軸方向に嵌め込んで接続締結金具１０で一体とする。
【００１５】
床固定具２０は、特許文献１段落００１８〜同００２３、同図４〜図６に示す、鋼板製ベース板から成る台座２１に植設されたボルトと、そのボルトに設けたロックナット、ジャッキコマ、回転防止コマ、上昇防止用ナット及び固定ナット等からなる突張力調整機構を備える（詳細は前記特許文献１段落００１８〜同００２３、同図４〜図６参照）。
【００１６】
天井固定具３０は、特許文献１段落００２４〜同００２９、図７〜図８Ｃに示す、鋼板製円形板からなる台座３１に円筒状ケーシングを設け、この円筒状ケーシング内にコイルばね、摺動板等からなる弾性支持機構を備える（詳細は、特許文献１段落００２４〜同００２９、図７〜図８Ｃ参照）。
この実施形態の縦型介護用ポール装置Ａは、従来と同様に床面Ｆと天井面Ｃとの間に、突張力調整機構及び弾性支持機構でもって固定する。
【００１７】
この縦型介護用ポール装置Ａにおいて、この考案は、ポール１の手摺り構造が特徴である。この手摺り構造は、ポール１にその横方向に延びるように取り付けた手摺り４０と、その手摺り４０をポール１に対して起伏自在とする回転部５０と、横方向に延びた手摺り４０を支持する支持部６０と、起立してポール１に沿わせた手摺り４０を着脱自在に支持するキャッチャー７０とから成る。
【００１８】
手摺り４０は、上下２本の杆４１ａ、４１ｂと、その両杆４１ａ、４１ｂのそれぞれの一端から連続したＵ字状杆４１ｃとからなり、その各杆４１ａ、４１ｂ、４１ｃは鋼管パイプ等の一本の中空管からなって、全表面に樹脂コーティングが施されている。
手摺り４０の上側杆４１ａには図２に示すテーブル（カウンター）４２が設けられている。このテーブル４２は、同図（ｂ）の平面視、鼓（つづみ）形状、同図（ｃ）の平面視、長方形形状等を適宜に採用し、下面の嵌め込み孔（溝）４３に上側杆４１ａを嵌めてＵ字状金具４４を介してビス止めする。
【００１９】
回転部５０は、図３、図４に示すように、逆コ字状の金属製取付板５１と、上側杆４１ａの端に固定の円柱状回転駒５２と、その回転駒５２の両側に宛がわれるワッシャー５３と、回転軸５４と、その回転軸５４の両端にねじ込み固定されるナット５５とから成る。取付板５１は少なくともワッシャー５３に接する面には樹脂コーティングが施されている。ナット５５はハードロック（ハードロック工業株式会社の登録商標）ナットを使用する。回転駒５２及びワッシャー５３は強靱な樹脂からなる。その樹脂は、耐摩耗性を有して所要の硬度及び摺動抵抗を持った、例えば、6ナイロンと呼ばれるポリアミド樹脂等であり、この実施形態においては、ＭＣナイロン（クオドラントポリペンコジャパン株式会社の商標登録、一般名称：モノマーキャストナイロンというエンジニアリングプラスチック）を採用した。取付板５１の樹脂コーティングもＭＣナイロンとすることができる。
【００２０】
この回転部５０は、図４に示す、各部品５１、５２、５３、５４、５５において、図３に示すように、取付板５１にワッシャー５３を介在して回転駒５２を嵌め込み、回転軸５４を取付板５１の一方の立片５１ａ、ワッシャー５３、回転駒５２、ワッシャー５３、取付板５１の他方の立片５１ｂに貫通し、その回転軸５４の両端にナット５５をねじ込む。このねじ込みによって、取付板５１に回転駒５２を介して手摺り４０（上側杆４１ａ）が回動（揺動）可能に取付けられる。
そのナット５５の締め付けトルクは、手摺り４０が取付板５１に対して所要の圧接力を持って固定されるが、回転駒５２とワッシャー５３が樹脂からなって滑性を有するため、手摺り４０は所要の抵抗力を持って回転軸５４を軸として上下方向に回動（揺動）可能となり、手で動かさない限り、その回動が行われない。即ち、手摺り４０が回動途中で不意に下方に動くことがない。ワッシャー５３の硬度や厚みは、その不意の回動がないように実験などによって適宜に設定する。
この回転部５０には適宜にカバー５８を被せる。
【００２１】
支持部６０を図５に示し、この支持部６０は、一部切り欠いた円弧状のキャッチャー６１からなり、そのキャッチャー６１に下方から下側杆４１ｂの嵌合部４５が嵌る。この嵌り合いは、キャッチャー６１の両側の円弧状片６１ａ、６１ａを押し広げて嵌合部４５が入ってキャッチャー６１に支持される。キャッチャー６１はＡＢＳ樹脂（アクリロニトリル−ブタジエン−スチレン共重合合成樹脂）等を使用する。
【００２２】
上記回転部５０と支持部６０は、上記接続締結金具１０と同様の締結金具１１によってポール１に取付られる。その締結金具１１は、対の円環状半割リング１１ａとその半割リング１１ａから横方向に突出した取付板１１ｂとからなって、対の半割リング１１ａをポール１に挟んでボルト・ナット締めすることによってポール１に固定する（詳細は、特許文献１段落００３１〜同００３２、図９、図１０参照）。
この締結金具１１の取付板１１ｂに回転部５０と支持部６０の取付板をビス止めすることによって回転部５０と支持部６０は、上記接続締結金具１０と同様の締結金具１１によってポール１に取付られる。図３に示す回転部５０は取付板５１の背片５１ｃを締結金具１１の取付板１１ｂにビス止めすることによって締結され、図５に示す支持部６０は、キャッチャー６１の孔６１ｂを介して締結金具１１の取付板１１ｂに締結される。
【００２３】
上記手摺り４０の上方のポール１（１ｂ）にキャッチャー７０が取り付けられ、このキャッチャー７０は、図６に示すように、ゴム製の材料からなり、ポール１に固定の一つ割りの円環部７１とその円環部７１の一つ割りの反対側面から横方向に延びる把持片７２とから成る。円環部７１は、広げてポール１に嵌めたり、上方からポール１に嵌めたりしてビス７３でもって締結することによってポール１に固定される。把持片７２の下面にほぼ四角状の嵌合孔７４が形成されており、この嵌合孔７４にテーブル４２の一端部が嵌る。このため、キャッチャー７０と回転部５０との距離は、テーブル４２が起立されてポール１に沿った際、その上部がキャッチャー７０の嵌合孔７４に嵌って容易に外れないように、実験などによって適宜に設定する。
【００２４】
この実施形態の手摺り構造は以上の通りであり、図１実線で示すように、手摺り４０を水平にして使用する。このとき、手摺り４０は、その下側杆４１ｂがキャッチャー６１に支持されて下方への揺動が阻止され、そのキャッチャー６１からなる支持部６０と回転部５０との上下２点で支持されるため、その水平状態は横揺れなく安定する。
【００２５】
この水平状態において、手摺り４０が邪魔になるなどの場合、同図鎖線で示すように、手摺り４０を立ち上げてそのテーブル４２をキャッチャー７０に支持する。その手摺り４０の立ち上げ時、回転駒５２とワッシャー５３との圧接力（抵抗力）を持った回動（立ち上げ）となるため、手摺り４０は妾動することなく、円滑に動く。このとき、何らかの事情により、手摺り４０から手を離したり、よろけたりして、手摺り４０への支持力がなくなっても、ナット５５による締結トルクによって、回転駒５２とワッシャー５３とは圧接力（抵抗力）を持っているため、手摺り４０は不意に動くこともなく、安心である。
【００２６】
使用時には、その鎖線の状態から、実線で示す状態に手摺り４０を下ろして支持部６０に嵌め込み支持する。
この作用において、手摺り４０は所要の抵抗力を持って上下方向に回動（揺動）可能となっているため、手で動かさない限り、その回動が行われない。即ち、手摺り４０が回動途中で不意に下方に動くことはない。
【００２７】
この実施形態において、回転駒５２と取付板５１の背片５１ｃとの間には、図７に示すように指詰め防止部材８０を介在することが好ましい。この指詰め防止部材８０は、合成樹脂製であって、前面８１が回転駒５２の外周に沿う円弧面をしたのち後側への昇り傾斜面８２となっており、取付板５１の立片５１ｂにビス８３を止め固定する。この構成においても、カバー５８を設けることができる。
【００２８】
この指詰め防止部材８０は、上記実施形態の回転部に限らず、種々の態様の手摺り４０が上下方向に回動可能な種々の縦型介護用ポール装置Ａに採用できる。例えば、図８に示す、対の縦型介護用ポール装置Ａ、Ａにおいて、その一方のポール１の回動部５０に採用できる。この指詰め防止部材８０を介在した構成は、縦型介護用ポール装置Ａ（ポール１）が１本（図８の右側）のみの場合でも採用できる。  
【００２９】
支持部６０は図５に示した構造としたり、特許文献２段落００３１〜同００３２、図１２に示す構成等としたりし得る。図５の構造においては、図８の実施形態の場合、手摺り４０が上方に回動するため、支持部６０のキャッチャー６１は上下逆（上側に開口）の構成となる。
手摺り４０の端を掴むキャッチャー７０は、上記のものに限らず、手摺り４０を支持し得るものであれば、種々のものを採用することができ、例えば、二股状のもの（特許文献２段落００３５、図１４、図１５参照）などとし得る。
また、指詰め防止部材８０は、カバー５８で構成することもできる。例えば、図３に示す、回転駒５２と取付板５１の背片５１ｃとの間に位置する片５８ａで構成することができる。この片５８ａは上記指詰め防止部材８０の傾斜面８２と同様な上向き傾斜を有するものとすることができる。
【００３０】
この考案は、上記手摺り４０の構造が特徴であって、接続締結金具１０、床固定具（突張力調整機構）２０、天井固定具（弾性支持機構）３０等の他の構成は、上記の態様に限定されるものではなく、例えば、天井固定具３０は弾性支持機構が付設されているが、その弾性支持機構を省略したり、床固定具２０は突張力調整機構を省略したり等とすることができる。
また、上記実施形態の回転部５０において、ワッシャー５３が樹脂からなって回転時の滑性を有するため、そのワッシャー５３が摺接する回転駒５２や取付板５１は必ずしも樹脂コーティングする必要はない。
【００３１】
なお、各部材（ポール１、台座２１、３１等）に塗装を行う場合は、その塗装表面にパーカー処理を施すことは言うまでもない。また、その各部材はその機能を発揮する限りにおいて前記の材料に限定されないことは言うまでもない。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００３２】
Ａ  縦型介護用ポール装置
１  ポール
１ａ  一方（上側）のポール部材
１ｂ  他方（下側）のポール部材
１０  ポール部材の接続締結金具
２０  床固定具
２１  床用台座
３０  天井固定具
３１  天井用台座
４０  手摺り
４１ａ  手摺りの上側杆
４１ｂ  同下側杆
４１ｃ  同Ｕ字状杆
４２  テーブル（カウンター）
５０  回転部
６０  支持部
７０  キャッチャー
８０、５８ａ  指詰め防止部材
【図１】
0003221490.tif 000003
【図２】
0003221490.tif 000004
【図３】
0003221490.tif 000005
【図４】
0003221490.tif 000006
【図５】
0003221490.tif 000007
【図６】
0003221490.tif 000008
【図７】
0003221490.tif 000009
【図８】
0003221490.tif 000010